(57)【要約】【課題】トラッキングエラー信号とトラッキングドライブ信号との関係を求めることによって、光ピックアップのトラッキング精度を向上させることができる光ディスク再生装置を提供する。【解決手段】立ち上げ時の調整過程において、トラッキングドライブ信号ＴＤとトラッキングエラー信号のバランス変化量との関係を表す傾きα、トラッキングエラー信号のバランス補正値に対するバランス補正量の関係を表す傾きγを実測し、これに基づいて出力されたトラッキングドライブ信号に対して出力すべきバランス補正値βを決定する。このように、立ち上げ時に実測した値に基づいてバランス補正値を決定するため、常に的確なバランス補正を行うことができる。【選択図】図４
2007213643.tif 000002
【特許請求の範囲】
【請求項１】
レーザ光を光ディスクのトラックに照射し、その反射光を受光する光ピックアップと、この光ピックアップの対物レンズをトラッキング方向にシフトさせるためのトラッキングアクチュエータと、前記光ピックアップが受光した反射光に基づいてトラッキングエラー信号を出力するトラッキングエラー信号検出回路と、トラッキングエラー信号に基づいてトラッキングドライブ信号を生成し、このトラッキングドライブ信号を前記トラッキングアクチュエータに対して出力する位相補償回路と、を備えた光ディスク再生装置において、
前記位相補償回路が出力したトラッキングドライブ信号に応じてトラッキングエラー信号のバランス補正値を算出するバランス補正値算出回路と、
前記トラッキングエラー信号検出回路が検出したトラッキングエラー信号に前記バランス補正値を加算して補正した値を前記位相補償回路に入力するバランス補正回路と、
立ち上げ時の調整過程において、０ｖを含む正負複数段階の電圧のトラッキングドライブ信号を出力してトラッキングドライブ信号に対するトラッキングエラー信号のバランス変化量αを測定するとともに、０を含む正負複数段階のバランス補正値を出力してバランス補正値に応じたトラッキングエラー信号のバランス補正量γを測定し、これらバランス変化量α、バランス補正量γに基づいて、トラッキングドライブ信号に対して出力すべきバランス補正値βを決定するシステムコントローラと、
を備えたことを特徴とする光ディスク再生装置。
【請求項２】
レーザ光を光ディスクのトラックに照射し、その反射光を受光する光ピックアップと、この光ピックアップの対物レンズをトラッキング方向にシフトさせるためのトラッキングアクチュエータと、前記光ピックアップが受光した反射光に基づいてトラッキングエラー信号を出力するトラッキングエラー信号検出回路と、トラッキングエラー信号に基づいてトラッキングドライブ信号を生成し、このトラッキングドライブ信号を前記トラッキングアクチュエータに対して出力する位相補償回路と、を備えた光ディスク再生装置において、
前記位相補償回路が出力したトラッキングドライブ信号に応じてトラッキングエラー信号のバランス補正値を算出するバランス補正値算出回路と、
前記トラッキングエラー信号検出回路が検出したトラッキングエラー信号に前記バランス補正値を加算して補正した値を前記位相補償回路に入力するバランス補正回路と、
を備えたことを特徴とする光ディスク再生装置。
【請求項３】
立ち上げ時の調整過程において、トラッキングドライブ信号に対するトラッキングエラー信号のバランス変化量αを測定するとともに、バランス補正値に応じたトラッキングエラー信号のバランス補正量γを測定し、これらバランス変化量α、バランス補正量γに基づいて、トラッキングドライブ信号に対して出力すべきバランス補正値βを決定するシステムコントローラを備えた請求項２に記載の光ディスク再生装置。
【請求項４】
前記バランス変化量αの測定は、０ｖを含む正負複数段階の電圧のトラッキングドライブ信号を出力して行い、前記バランス補正量γの測定は、０を含む正負複数段階のバランス補正値を出力して行う請求項３に記載の光ディスク再生装置。
【発明の詳細な説明】
【技術分野】
【０００１】
この発明は、光ディスクに記録された情報を再生する光ディスク再生装置に関し、特に、光ピックアップに備えられる対物レンズのレンズシフト時におけるトラッキングエラーバランスの補正に関する。
【背景技術】
【０００２】
光ディスク再生装置においては、光ピックアップに対するトラッキングサーボはトラッキングエラー信号に従って行われている。
【０００３】
例えば、対物レンズが光ディスク上のトラックの内周側にシフトすると、このときのトラッキングエラー信号に基づくトラッキングサーボにより、対物レンズをトラックに対する正常位置に戻すため対物レンズを外周側の方向へ移動させるようにトラッキングドライブ電圧をトラッキングアクチュエータのトラッキングコイルに印加し、対物レンズをトラックに対する正常位置になるように駆動制御している。即ち、トラッキングエラーバランスが零になるように補正している。
【０００４】
このような技術を開示した文献としては、特許文献１や特許文献２がある。
【特許文献１】特開２００３−１２３２８３公報
【特許文献２】特開２００５−３１０２５７公報
【発明の開示】
【発明が解決しようとする課題】
【０００５】
しかしながら、対物レンズがシフトすると、対物レンズと受光素子の位置関係がずれ、トラッキングエラー信号のバランスが変化する。このバランス変化を無視してトラッキングサーボ制御を行っていると、制御が不安定になり、トラック外れが起きる可能性があるという問題点があった。特に、プッシュプル方式のトラッキングエラー信号（ＰＰＴＥ）はレンズシフト時のバランス特性が悪いため、このトラッキング外れが頻繁に起きるという問題点があった。
【０００６】
この発明は、上記のような課題を解決するためになされたもので、トラッキングエラー信号とトラッキングドライブ信号との関係を求めることによって、光ピックアップのトラッキング精度を向上させることができる光ディスク再生装置を提供することを目的とする。
【課題を解決するための手段】
【０００７】
（１）  この発明は、レーザ光を光ディスクのトラックに照射し、その反射光を受光する光ピックアップと、この光ピックアップの対物レンズをトラッキング方向にシフトさせるためのトラッキングアクチュエータと、前記光ピックアップが受光した反射光に基づいてトラッキングエラー信号を出力するトラッキングエラー信号検出回路と、トラッキングエラー信号に基づいてトラッキングドライブ信号を生成し、このトラッキングドライブ信号を前記トラッキングアクチュエータに対して出力する位相補償回路と、を備えた光ディスク再生装置において、
前記位相補償回路が出力したトラッキングドライブ信号に応じてトラッキングエラー信号のバランス補正値を算出するバランス補正値算出回路と、前記トラッキングエラー信号検出回路が検出したトラッキングエラー信号に前記バランス補正値を加算して補正した値を前記位相補償回路に入力するバランス補正回路と、立ち上げ時の調整過程において、０ｖを含む正負複数段階の電圧のトラッキングドライブ信号を出力してトラッキングドライブ信号に対するトラッキングエラー信号のバランス変化量αを測定するとともに、０を含む正負複数段階のバランス補正値を出力してバランス補正値に応じたトラッキングエラー信号のバランス補正量γを測定し、これらバランス変化量α、バランス補正量γに基づいて、トラッキングドライブ信号に対して出力すべきバランス補正値βを決定するシステムコントローラと、を備えたことを特徴とする。
【０００８】
（２）  この発明は、レーザ光を光ディスクのトラックに照射し、その反射光を受光する光ピックアップと、この光ピックアップの対物レンズをトラッキング方向にシフトさせるためのトラッキングアクチュエータと、前記光ピックアップが受光した反射光に基づいてトラッキングエラー信号を出力するトラッキングエラー信号検出回路と、トラッキングエラー信号に基づいてトラッキングドライブ信号を生成し、このトラッキングドライブ信号を前記トラッキングアクチュエータに対して出力する位相補償回路と、を備えた光ディスク再生装置において、
前記位相補償回路が出力したトラッキングドライブ信号に応じてトラッキングエラー信号のバランス補正値を算出するバランス補正値算出回路と、前記トラッキングエラー信号検出回路が検出したトラッキングエラー信号に前記バランス補正値を加算して補正した値を前記位相補償回路に入力するバランス補正回路と、を備えたことを特徴とする。
【０００９】
この発明では、トラキングドライブ信号による対物レンズのシフトに応じてトラッキングエラー信号のバランス値を補正する。これにより、トラッキングドライブ信号により対物レンズがシフトしてトラッキングエラー信号によるサーボ制御のバランスが変化した場合でも正しくトラッキングサーボを行うことができ、トラッキング外れを無くすことができる。
【００１０】
（３）  この発明は、立ち上げ時の調整過程において、トラッキングドライブ信号に対するトラッキングエラー信号のバランス変化量αを測定するとともに、バランス補正値に応じたトラッキングエラー信号のバランス補正量γを測定し、これらバランス変化量α、バランス補正量γに基づいて、トラッキングドライブ信号に対して出力すべきバランス補正値βを決定するシステムコントローラを備えたことを特徴とする。
【００１１】
この発明では、立ち上げ時の調整過程において、トラッキングドライブ信号ＴＤとトラッキングエラー信号のバランス変化量との関係を表す傾きα、トラッキングエラー信号のバランス補正値に対するバランス補正量の関係を表す傾きγを実測し、これに基づいて出力されたトラッキングドライブ信号に対して出力すべきバランス補正値βを決定する。このように、立ち上げ時に実測した値に基づいてバランス補正値を決定するため、常に的確なバランス補正を行うことができる。
【００１２】
（４）  この発明は、前記バランス変化量αの測定は、０ｖを含む正負複数段階の電圧のトラッキングドライブ信号を出力して行い、前記バランス補正量γの測定は、０を含む正負複数段階のバランス補正値を出力して行うことを特徴とする。
【００１３】
この発明では、傾きα，傾きγを実測する場合に、０を含む正負の操作量を入力してそれに対する制御量を測定している。これにより、正側の操作と負側の操作で特性が異なる場合でも、的確な制御が可能になる。
【発明の効果】
【００１４】
以上のように本発明によれば、立ち上げ時にトラッキングドライブ信号ＴＤとトラッキングエラー信号のバランス変化量との関係を表す傾きα、トラッキングエラー信号のバランス補正値に対するバランス補正量の関係を表す傾きγを実測し、これに基づいて出力されたトラッキングドライブ信号に対して出力すべきバランス補正値βを決定するようにしたことにより、立ち上げ時に実測した値に基づいてバランス補正値を決定するため、常に的確なバランス補正を行うことができる。
【発明を実施するための最良の形態】
【００１５】
以下、図面を参照しつつ、この発明の実施の形態について説明する。図１は本発明の一実施形態に係る光ディスク再生装置の構成を示すブロック図である。
図１において、この光ディスク再生装置は、光ディスク１に記録された情報を再生するためにレーザ光を出射すると共に光ディスク１からの反射光を受光する光ピックアップ３と、光ディスク１を回転させるスピンドルモータ２と、このスピンドルモータ２を駆動するスピンドルドライブ回路１９と、光ピックアップ３のトラッキングサーボを行うトラッキングアクチュエータ（不図示）を駆動するトラッキングドライブ回路１７と、光ピックアップ３のフォーカスサーボを行うアクチュエータを駆動するフォーカスドライブ回路１６と、光ピックアップ３を光ディスク１の半径方向に移動させるスレッド４と、このスレッド４を駆動するスレッドドライブ回路１８とを備えている。
【００１６】
また、この光ディスク再生装置は、光ディスク１の再生時に光ディスク１からの再生信号（読取信号）を入力して該再生信号よりＲＦ信号を作成して増幅するＲＦアンプ５と、ＶＣＯ（ｖｏｌｔａｇｅ ｃｏｎｔｒｏｌｌｅｄ ｏｓｃｉｌｌａｔｏｒ）を含むＰＬＬ（ｐｈａｓｅ ｌｏｃｋｅｄ ｌｏｏｐ）８を備えＲＦアンプ５からのＲＦ信号を入力してデータと同期信号を分離するデータ／同期信号分離回路６と、このデータ／同期分離回路６で分離されたデータを入力してデコード化することによりエラーチェックを行いデータに誤りがある場合はエラー訂正を行って正しいデータを出力するデータデコードエラー訂正回路９と、このデータデコードエラー訂正回路９から正しいデータを入力しデコード化してビデオ信号とオーディオ信号を出力するＡＶデコード回路１０とを備えている。
【００１７】
また、このディスク再生装置は、光ピックアップ３からの再生信号に含まれるトラッキングエラー信号（ＰＰＴＥ）を検出するトラッキングエラー検出回路１１と、光ピックアップ３からの再生信号に含まれるフォーカスエラー信号を検出するフォーカスエラー検出回路１２を備えている。
【００１８】
また、この光ディスク再生装置は、装置全体の処理を行うＣＰＵ１５に従って上記各構成要素を制御するシステムコントローラ２０を備えている。このシステムコントローラ２０は、光ピックアップ３からの再生信号に含まれるフォーカスエラー信号に基づいて光ピックアップ３のフォーカスサーボのための制御、光ピックアップ３からの再生信号に含まれるトラッキングエラー信号に基づいて光ピックアップ３のトラッキングサーボのための制御、スレッドドライブ回路１８を介してスレッド４を駆動して光ピックアップ３を光ディスク１の半径方向に移動させる制御、スピンドルドライブ回路１９を介してスピンドルモータ２を回転させる制御などを行う。
【００１９】
スレッド４には、光ピックアップが搭載されている。光ピックアップの対物レンズを搭載するレンズホルダは、スレッド４に対して光ディスク１の半径方向（トラッキング方向）に動けるように、トラッキングアクチュエータによって可動自在に支持されている。トラッキンアクチュエータは、トラッキングドライブ回路１７から供給されるトラッキングドライブ電圧ＴＤによりレンズホルダをトラッキング方向に移動（シフト）させる。
【００２０】
システムコントローラ２０は、トラッキングエラー検出回路１１から出力されたトラッキングエラー信号に基づきトラッキングドライブ電圧ＴＤを決定してトラッキングドライブ回路１７にその電圧を発生するように指示する。以上がトラッキングサーボ制御である。
【００２１】
図２は、前記トラッキングエラー検出回路１１、システムコントローラ２０、トラッキングドライブ回路１７、光ピックアップ３からなるトラッキング制御系統を示す図である。システムコントローラ２０は、制御プログラムにより、バランス補正回路２１、位相補償会２２、ドランス補正値算出回路２３を構成する。トラッキングエラー検出回路１１が検出したトラッキングエラー信号は、システムコントローラ２０に入力される。システムコントローラ２０は、このトラッキングエラー信号の検出値に応じたトラッキングドライブ信号ＴＤを生成して、トラッキングドライブ回路１７に出力する。このトラッキングドライブ信号ＴＤは、システムコントローラ２０内に機能的に構成されている位相補償回路２２が生成する。トラッキングドライブ回路１７は、このトラッキングドライブ回路ＴＤに応じた電圧を生成して、トラッキングアクチュエータを駆動し、光ピックアップ３の対物レンズをトラッキング方向にシフトさせる。
【００２２】
ここで、トラッキングサーボのために、トラッキングアクチュエータを駆動して対物レンズをシフトさせると、対物レンズの光軸と４分割の受光素子との位置関係がずれ、トラッキングのバランス状態が、トラッキングエラー信号０の位置から外れることになる。そこで、システムコントローラ２０は、トラッキングドライブ信号ＴＤによって対物レンズがシフトしているときに、このシフトによるトラッキングエラー信号のバランス変化を修正するためのバランス補正値を、トラッキングドライブ信号ＴＤの値に応じて生成するバランス補正値算出回路２２、および、このバランス補正値をトラッキングエラー信号に加算するバランス補正回路２１を機能的に備えている。
【００２３】
バランス補正回路２１は、トラッキングエラー検出回路１１が検出したトラッキングエラー信号ＰＰＴＥにバランス補正値を加算して、トラッキングエラー信号のバランス変化を補正する。バランス補正回路２１は、この補正したトラッキングエラー信号を位相補償回路２２に出力する。位相補償回路２２は、この補正されたトラッキングエラー信号に基づいてトラッキングドライブ信号ＴＤを生成する。このトラキングドライブ信号ＴＤは、トラッキングドライブ回路１７に出力されるとともに、バランス補正値算出回路２３にも入力される。バランス補正値算出回路２３は、入力されたトラッキングドライブ信号ＴＤに基づいてバランス補正値を算出してバランス補正回路２１に出力する。
【００２４】
上記構成の光ディスク再生装置において、システムコントローラ２０は、立ち上げ時の調整過程において、トラッキングドライブ信号ＴＤに応じたバランス補正値を決定するためのＰＰＴＥバランス設定処理を実行する。
【００２５】
図３のフローチャートおよび図４のグラフを参照してＰＰＴＥバランス設定処理について説明する。
【００２６】
まず、光ディスクを回転させたトラッキングオフの状態で、フォーカスのみオンし（ｓ１）、トラッキングドライブ回路１７に複数段階のトラッキングドライブ電圧ＴＤ（例えば＋３０ｍＶ，０Ｖ，−３０ｍＶ等）を印加するように指示する（ｓ２）。各トラッキングドライブ電圧ＴＤに対応して出力されるトラッキングエラー信号（ＰＰＴＥ）のバランス変化量を検出する（ｓ３）。これによって検出したＴＤとＰＰＴＥバランス変化量の傾きαを求める（ｓ４：図４（Ａ）参照）。次に、バランス補正値算出回路２３に複数段階のバランス補正値を出力させる（ｓ５）。このバランス補正値は０を含む正負複数段階の値とする。このバランス補正値により、どの程度トラッキングエラー信号のバランスが補正されるかを検出する（ｓ６）。これによって検出したＰＰＴＥバランス補正値とＰＰＴＥバランス補正量の傾きγを求める（ｓ７：図４（Ｂ）参照）。以上検出した傾きαと傾きγにより、ＴＤ出力に対応して生成すべきＰＰＴＥバランス補正値を算出するための一次関数の傾きβを求める（ｓ８）。ただし、β＝−α／γである。
【００２７】
そして、この算出された傾きβをバランス補正値算出回路２３に設定する（ｓ９）。
【００２８】
この処理は、電源オン時の立ち上げ時のみに行ってもよく、光ディスクがセットされる毎に行ってもよい。
【図面の簡単な説明】
【００２９】
【図１】本発明の実施形態に係る光ディスク再生装置の構成を示すブロック図である。
【図２】同光ディスク再生装置のトラッキングサーボの系統図である。
【図３】同光ディスク再生装置のシステムコントローラの動作を示すフローチャートである。
【図４】同光ディスク再生装置のトラッキングドライブ信号ＴＤとＰＰＴＥバランス補正値の関係を説明する図である。
【符号の説明】
【００３０】
１ 光ディスク
３ 光ピックアップ
４ スレッド
１４ ＲＡＭ
２０ システムコントローラ
２１ バランス補正回路
２２ 位相補償回路
２３ バランス補正値算出回路
【図１】
2007213643.tif 000003
【図２】
2007213643.tif 000004
【図３】
2007213643.tif 000005
【図４】
2007213643.tif 000006